(57)【要約】【課題】簡易な構造で、カードコネクタにおけるカード媒体のスムーズな挿入及び抜き出しを実現する。【解決手段】ハウジング１０２の開口１０５には、カード媒体２０１が挿入される。カード媒体２０１は、第１側面２０５を奥側にして第２側面２０４に沿う挿入方向Ａにスライド挿入される。ハウジング１０２は、ロック部材１１０を移動自在に保持する。ロック部材１１０における挿入方向Ａの奥側は、第１部分１１６が設けられる。ロック部材１１０の第２部分１１７は、第１部分１１６に対し交差する方向に延びる。ロック部材１１０の第３部分１１８は、第２部分に対し交差する方向に延びる。カード媒体２０１の第１側面２０５が第１部分１１６に接触すると、ロック部材１１０が旋回して、第２部分１１７及び第３部分１１８がカード媒体２０１に接触する。拘束部１２３は、挿入方向Ａに交差し開口１０５から離れる方向に動いた第３部分１１８を拘束する。【選択図】図１
2011249049.tif 000002
【特許請求の範囲】
【請求項１】
第１側面と第２側面と第３側面とをこの順に並べて形成する扁平なカード媒体を、前記第１側面を奥側にして前記第２側面に沿う挿入方向にスライド挿入させて保持するカードコネクタであって、
前記カード媒体を挿入させるための開口と、前記開口から延び前記カード媒体が収納される収納空間とを形成するハウジングと、
前記第１側面に接触する第１部分と、前記第１部分に対し交差する方向に延び前記第２側面に接触する第２部分と、前記第２部分に対し交差する方向に延び前記第３側面に接触する第３部分とを備え、少なくとも前記第１部分を前記収納空間内に位置させて前記ハウジングに対して移動自在に前記ハウジングに保持されるロック部材と、
を備え、
前記ハウジングは、前記挿入方向に交差し前記開口から離れる方向に動いた前記第３部分を拘束する拘束部を有する、
カードコネクタ。
【請求項２】
前記ハウジングの内壁面で前記第２部分を挟んで前記収納空間とは反対側に形成され、前記収納空間の内側に向けて突出する支点部を更に備える、
請求項１記載のカードコネクタ。
【請求項３】
前記ロック部材は、前記第２部分から前記収納空間とは反対側に突出する突部を更に備え、
前記ハウジングは、前記開口から挿入される前記カード媒体の前記第１側面が前記第１部分を押すことにより動く前記第２部分が前記収納空間に向かうよう前記突部を案内する第１案内部を更に備える、
請求項１又は２記載のカードコネクタ。
【請求項４】
前記ハウジングに対して前記ロック部材をスライド自在に係合させ、前記ロック部材を案内する第２案内部を更に備える、
請求項１から３のいずれか一に記載のカードコネクタ。
【請求項５】
前記拘束部は、前記開口に向けて突出し、
前記第３部分は、前記開口から離れる側に開いた形状をなして前記拘束部に引っ掛かる、
請求項１から４のいずれか一に記載のカードコネクタ。
【発明の詳細な説明】
【技術分野】
【０００１】
本発明は、携帯電話機、電話機、ＰＤＡ（Ｐｅｒｓｏｎａｌ  Ｄｉｇｉｔａｌ  Ａｓｓｉｓｔａｎｃｅ）、携帯型オーディオ、カメラ等の機器に取り付けられ、ＩＣカードやＰＣカード、ＳＤカード、ＳＩＭカード等のカード媒体をスムーズに挿入及び抜き出しできるカードコネクタに関する。
【背景技術】
【０００２】
近年、携帯電話機、電話機、ＰＤＡ、携帯型オーディオ、カメラ等の機器には、ＣＰＵやメモリ用のＩＣチップを含むカード媒体（ＩＣカード、ＰＣカード、ＳＤカード、ＳＩＭカード等）を装着するためのカードコネクタが組み込まれている。
【０００３】
カード媒体の一方の面には、カード媒体に収納されるＩＣチップに電気的接続をするためのパッド部が設けられる。また、カードコネクタの内側平面の一方には、パッド部に接触するコンタクト部が設けられる。そして、従来、カード媒体が裏返しでカードコネクタに挿入されるのを防ぐカードコネクタの発明が開示されている（例えば、特許文献１）。
【０００４】
特許文献１に記載のカードコネクタ１は、下ハウジング部材２と上ハウジング部材３とを組み合わせて構成され、偏平なハウジングを備える。このハウジングには、カード２０が収納される偏平な中空の空間が形成される。ハウジングに形成される空間内には、イジェクト機構４が設けられる。このイジェクト機構４は、カード２０を排出するためのものである。イジェクト機構４は、下ハウジング部材２の一方の側壁１３に沿って滑動自在で、ばね部材９に押されてハウジングの外部に向けて動くイジェクト部材８を含む。イジェクト部材８は、このイジェクト部材８のスライド方向に対してほぼ直角な方向に内側に突出するカード当接部３５を有しており、カード当接部３５をカード２０の先端部に当接させた状態でスライド移動し、カード２０を排出する。
【０００５】
カード２０の一の角部には、切欠き部２１が設けられる。一方、カード当接部３５は、スライド方向に対して傾斜し、挿入されたカード２０の切欠き部２１と良好に係合する被当接面を形成する。そして、カード２０が裏返しで挿入されると、カード２０における切欠き部２１以外の角部がカード当接部３５のなす被当接面に引っかかり、カード２０の一部がハウジングに収納されない。特許文献１は、この点を「誤操作防止手段」として説明している。
【先行技術文献】
【特許文献】
【０００６】
【特許文献１】特開２００４−０９５４４９号公報（段落００３７〜００３８、図５、図６）
【発明の概要】
【発明が解決しようとする課題】
【０００７】
図１２は、カード媒体９０１の一例を示す背面図である。近年、パッド部９０２を縁部に隣接させずに中央位置に配置させたカード媒体９０１が普及している。このようなカード媒体９０１の一例は、ＳＩＭカードである。カード媒体９０１を装着させるカードコネクタ（図示せず）を考える場合、パッド部９０２と接触するコンタクト部（図示せず）は、カードコネクタに形成されるカード媒体９０１の収納空間の最深部よりも開口側によった位置に配置されることになる。このため、携帯電話機等の機器に対し、カード媒体９０１を装着するカードコネクタを組み込む場合と、特許文献１に記載のカードコネクタ１を組み込む場合とでは、機器内の各種部品（図示せず）の配置レイアウトが大きく異なる。
【０００８】
これに加え、カードコネクタについて、低背化、小型化、カードの挿入や抜き出しに十分な強度、挿入されたカードを容易に放出できるような構造等の要求も存在する。
【０００９】
そこで、発明者は、カード媒体９０１の一の角部に設けられた切欠き部９０３を奥側に向けてカードコネクタにカード媒体９０１を装着するという従来の設計思想を根本的に見直した。そして、切欠き部９０３を手前側に向けてカード媒体９０１を装着することを前提とし、切欠き部９０３の活用についても考えた。そして、カード媒体の挿入及び抜き出しのいずれにも有利で、正規な向きで挿入されたカード媒体を脱落しないように保持できるカードコネクタの技術的思想を創作するに至った。
【００１０】
本発明は、上記の点を鑑みてなされたものであり、簡易な構造で、カードコネクタにおけるカード媒体のスムーズな挿入及び抜き出しを実現することを目的とする。
【課題を解決するための手段】
【００１１】
本発明のカードコネクタは、第１側面と第２側面と第３側面とをこの順に並べて形成する扁平なカード媒体を、前記第１側面を奥側にして前記第２側面に沿う挿入方向にスライド挿入させて保持するカードコネクタであって、（ｉ）前記カード媒体を挿入させるための開口と、前記開口から延び前記カード媒体が収納される収納空間とを形成するハウジングと、（ｉｉ）前記第１側面に接触する第１部分と、前記第１部分に対し交差する方向に延び前記第２側面に接触する第２部分と、前記第２部分に対し交差する方向に延び前記第３側面に接触する第３部分とを備え、少なくとも前記第１部分を前記収納空間内に位置させて前記ハウジングに対して移動自在に前記ハウジングに保持されるロック部材と、を備え、前記ハウジングは、前記挿入方向に交差し前記開口から離れる方向に動いた前記第３部分を拘束する拘束部を有する。
【発明の効果】
【００１２】
本発明によれば、開口から挿入されるカード媒体の第１側面が第１部分を押すことにより第１部分と第２部分との連結箇所がハウジングの内壁面に接触し、ロック部材が収納空間内を旋回し、第３部分が開口の内側方向に動いて拘束部から離反し、この第３部分が第３側面に接触する。したがって、簡易な構造で、カードコネクタにおけるカード媒体のスムーズな挿入及び抜き出しを実現できる。さらには、正規な向きで挿入されたカード媒体の保持をも実現できる。
【図面の簡単な説明】
【００１３】
【図１】カードコネクタの斜視図である。
【図２】カードコネクタの分解斜視図である。
【図３】カード媒体が装着された状態のカードコネクタの斜視図である。
【図４】コネクタ本体の内部構造を示す平面図である。
【図５】コネクタ本体の内部構造を示す正面図である。
【図６】ロック部材の斜視図である。
【図７】ロック部材保持領域に位置付けられたロック部材の斜視図である。
【図８】ロック部材の第３部分を拘束している状態の拘束部の平面図である。
【図９】カード媒体を収納空間に挿入しはじめた状態のカードコネクタの平面図である。
【図１０】カード媒体を収納空間に挿入し終えた状態のカードコネクタの平面図である。
【図１１】ロック部材の第３部分と離反している状態の拘束部の平面図である。
【図１２】カード媒体の一例を示す背面図である。
【発明を実施するための形態】
【００１４】
実施の一形態を、図１ないし図１１に基づいて説明する。図１は、カードコネクタ１０１の斜視図である。図２は、カードコネクタ１０１の分解斜視図である。カードコネクタ１０１は、携帯電話機、電話機、ＰＤＡ、携帯型オーディオ、カメラ等の機器に組み込まれる。カードコネクタ１０１には、カード媒体２０１が装着される。カード媒体２０１は、ＣＰＵやメモリ用のＩＣチップを含む。カード媒体２０１の例は、ＩＣカード、ＰＣカード、ＳＤカード、ＳＩＭカード等である。本実施の形態では、カード媒体２０１がＳＩＭカードである場合について説明する。カード媒体２０１の構造は、図１２に基づいて前述したカード媒体９０１と同様のものである。改めて説明すると、カード媒体２０１は、平面視略矩形形状で適宜な厚さの扁平のものであって、ＩＣチップ（図示せず）とパッド部２０２（図６及び図７参照）を有し、第３側面としての切欠き部２０３を一の角に形成している。ＩＣチップは、カード媒体２０１に収納される。パッド部２０２は、ＩＣチップに電気的接続している。
【００１５】
カードコネクタ１０１は、扁平で平面視略矩形形状のハウジング１０２を備え、このカードコネクタ１０１内にカード媒体２０１を収納させて保持する。ハウジング１０２は、下側をなし合成樹脂材料等の絶縁材料で形成されたコネクタ本体１０３に、板金をプレス加工して形成されたカバー１０４を覆い被せて構成される。ハウジング１０２には、長辺側の一の側部に開口１０５が設けられる。そして、ハウジング１０２の内部には、開口１０５から延びる、平面視「コ」字形状の扁平な収納空間１０６が形成される。収納空間１０６の底面１０６ａには、コンタクト部１０７が配置される。収納空間１０６には、開口１０５からスライド挿入されたカード媒体２０１が収納される。このとき、カード媒体２０１は、パッド部２０２を露出させる面を下にし、カード媒体２０１の挿入方向Ａの手前側に切欠き部２０３を向けられる。これにより、収納空間１０６に収納されたカード媒体２０１のパッド部２０２は、コンタクト部１０７に接触する。ここで、挿入方向Ａと平行で切欠き部２０３に連なるカード媒体２０１の側面を、第２側面２０４と呼ぶ。また、挿入方向Ａの奥側で第２側面２０４に連なる側面を、第１側面２０５と呼ぶ。つまり、カード媒体２０１は、扁平なものであって、第１側面２０５と第２側面２０４と切欠き部２０３とをこの順に並べて形成している。
【００１６】
コンタクト部１０７は、金属条片であってバネ性を有しており、カード媒体２０１を上方に押し上げる。また、カバー１０４には、カード媒体２０１と下方に押さえ込むカード押さえ部１０８が形成されている。このため、収納空間１０６に収納された２０１は、その上下を、コンタクト部１０７とカード押さえ部１０８とに挟まれる。また、カード媒体２０１は、その側面を、コネクタ本体１０３の内側面、並びに、イジェクト機構１０９及びロック部材１１０（いずれも次に述べる）によって保持される。
【００１７】
図３は、カード媒体２０１が装着された状態のカードコネクタ１０１の斜視図である。なお、図３は、カバー１０４を省略して示している。図２及び図３を参照する。カードコネクタ１０１は、イジェクト機構１０９と、ロック部材１１０とを備える。イジェクト機構１０９は、収納空間１０６に対するカード媒体２０１のスムーズな挿入及び取り出しを実現する。ロック部材１１０は、収納空間１０６に収納されたカード媒体２０１に接触して保持する。詳細には、ロック部材１１０は、ハウジング１０２に挿入されたカード媒体２０１の第１側面２０５と第２側面２０４と切欠き部２０３とに接触して、このカード媒体２０１の動きをロックする。イジェクト機構１０９とロック部材１１０とは、収納空間１０６の内側面のうち開口１０５側から見た左右両側のそれぞれに設けられる。本実施の形態では、イジェクト機構１０９は開口１０５に対して右側に設けられ、ロック部材１１０は開口１０５に対して左側に設けられる。なお、イジェクト機構１０９は開口１０５に対して左側に設けられ、ロック部材１１０は開口１０５に対して右側に設けられるようにしてもよい。
【００１８】
図４は、コネクタ本体１０３の内部構造を示す平面図である。図５は、コネクタ本体１０３の内部構造を示す正面図である。まず、イジェクト機構１０９について説明する。イジェクト機構１０９は、イジェクト部材１１１と、スプリング１１２と、カムレバー１１３とを備える。イジェクト部材１１１は、平面視クランク形状で挿入方向Ａにスライド自在である。イジェクト部材１１１には、ハート形カム１１４が形成される。ハート形カム１１４の周りには、周状のカム溝１１５が形成される。また、カムレバー１１３の一方の端部は、コネクタ本体１０３に拘束される。カムレバー１１３の他方の端部は、カム溝１１５に入り込んでカム溝１１５の底面に圧力をもって接している。カム溝１１５の底面には段部が設けられていて、カムレバー１１３が所定の周回方向にのみ動くようになっている。また、スプリング１１２は、イジェクト部材１１１を、挿入方向Ａに沿って開口１０５側に押している。
【００１９】
カード媒体２０１が収納空間１０６で挿入方向Ａの奥側に押し込まれると、第１側面２０５はイジェクト部材１１１を挿入方向Ａの奥側に押す。カード媒体２０１の押し込みが解除されると、スプリング１１２はイジェクト部材１１１を挿入方向Ａの手前側に押し戻す。このとき、カムレバー１１３はハート形カム１１４に引っ掛かり、カード媒体２０１を開口１０５からはみ出させない位置でイジェクト部材１１１が停止する（図１０参照）。この状態で、再びカード媒体２０１が収納空間１０６で挿入方向Ａの奥側に押し込まれると、カムレバー１１３とハート形カム１１４とが離反する。そして、カード媒体２０１の押し込みが解除されると、スプリング１１２がイジェクト部材１１１を挿入方向Ａの手前側に押し、イジェクト部材１１１がカード媒体２０１を開口１０５から排出させる（図９参照）。
【００２０】
図６は、ロック部材１１０の斜視図である。図７は、ロック部材保持領域１０６ｂに位置付けられたロック部材１１０の斜視図である。なお、図７は、カバー１０４を省略して示している。次に、ロック部材１１０について説明する。ロック部材１１０は、板状で長尺の金属部材を折り曲げて形成される。ロック部材１１０は、ロック部材保持領域１０６ｂに位置付けられる。このロック部材保持領域１０６ｂとは、収納空間１０６の一部をなし、この収納空間１０６の底面１０６ａよりも一段落ち込んで形成され、収納空間１０６の内側面に沿って挿入方向Ａに延びる領域である。
【００２１】
ロック部材１１０は、第１部分１１６と第２部分１１７と第３部分１１８とをこの順に連ねて有する。第１部分１１６は、ロック部材１１０の一方の端部に位置する。ロック部材１１０は、平面視Ｕ字形状に曲がっていて、バネ性を有する。第１部分１１６には、収納空間１０６の奥側に位置付けられる。第１部分１１６には、開口１０５から挿入されたカード媒体２０１の第１側面２０５（図２参照）が接触する。第２部分１１７は、第１部分１１６に対し交差する方向に棒状に延びている。ここで、第１部分１１６と第２部分１１７との連結箇所１１６ａは、曲面を形成している。第２部分１１７には、開口１０５から挿入されたカード媒体２０１の第２側面２０４（図２参照）が接触する。第３部分１１８は、ロック部材１１０の他方の端部に位置し、第２部分１１７に対し交差する方向に延びている。第３部分１１８は、三角状に折り曲げられて、バネ性を有する。第３部分１１８は、開口１０５の端部近傍に位置付けられて、開口１０５から離れる側に開いた形状をなす。第３部分１１８は、ロック部材１１０が収納空間１０６の内部で旋回することにより、開口１０５から挿入されたカード媒体２０１の切欠き部２０３（図２参照）に接触する。
【００２２】
ところで、コネクタ本体１０３とカバー１０４（図２等参照）とは、抜け止め空間１０６ｃを形成する。抜け止め空間１０６ｃは、ロック部材保持領域１０６ｂにおける収納空間１０６の奥側に位置する。また、ロック部材保持領域１０６ｂにおいて、抜け止め空間１０６ｃよりも挿入方向Ａの手前側には、連通空間１０６ｄが設けられる。連通空間１０６ｄは、抜け止め空間１０６ｃよりも細く、挿入方向Ａに延びている。ロック部材１１０は、第１部分１１６が抜け止め空間１０６ｃ内に配置され、かつ、第２部分１１７が連通空間１０６ｄ内で挿入方向Ａに延びる向きに配置された状態で、コネクタ本体１０３とカバー１０４とに挟まれて、ハウジング１０２に遊びをもってこのハウジング１０２に対し移動自在に保持される。
【００２３】
ロック部材１１０は、突部１１９と爪部１１９ａとを有する。突部１１９は、ロック部材１１０の第２部分１１７の側面から、収納空間１０６とは反対側に突出している。爪部１１９ａは、ロック部材１１０の第２部分１１７の上面から、上方に突出している。
【００２４】
図７を参照する。コネクタ本体１０３には、支点部１２１が形成される。支点部１２１は、収納空間１０６の内側面でロック部材１１０の第２部分を挟んで収納空間１０６とは反対側に位置する。この支点部１２１は、収納空間１０６の内側面から収納空間１０６の内側方向に向けて角状に突出する。
【００２５】
コネクタ本体１０３には、第１案内部１２２が形成される。第１案内部１２２は、収納空間１０６の内側面に形成され、支点部１２１から開口１０５側に向けて収納空間１０６を幅広とするように挿入方向Ａに対して傾斜する方向に延びている。
【００２６】
図８は、ロック部材１１０の第３部分１１８を拘束している状態の拘束部１２３の平面図である。カバー１０４には、拘束部１２３が形成される。拘束部１２３は、平面視略三角形であって、カバー１０４から開口１０５に向けて突出する。この拘束部１２３には、開口１０５から離れる側に開いた形状の第３部分１１８が引っ掛かる。そして、拘束部１２３における挿入方向Ａの手前側の側面には、突起１２４が設けられる。突起１２４には、第３部分１１８に形成された段部１１８ａが引っ掛かる。
【００２７】
カバー１０４には、ガイド溝１２５が形成される。ガイド溝１２５は、平面視におけるカバー１０４の縁から内側に延び、続いて挿入方向Ａの奥側に向かって延びている。このガイド溝１２５には、ロック部材１１０から上方に突出する爪部１１９ａが下方から入り込む。ロック部材１１０が動くと、ガイド溝１２５が爪部１１９ａの動きを規制する。これにより、ロック部材１１０は、所定の移動軌跡に沿って動くことになる。つまり、爪部１１９ａとガイド溝１２５とは、第２案内部１２６を構成し、ハウジング１０２に対してロック部材１１０をスライド自在に係合させロック部材１１０を案内する。なお、別の実施の形態として、第２案内部１２６は、カバー１０４から突出するレール部（図示せず）を、ロック部材１１０に形成される凹部（図示せず）に係合させて構成されていても良い。
【００２８】
図９は、カード媒体２０１を収納空間１０６に挿入しはじめた状態のカードコネクタ１０１の平面図である。上記のように構成されるカードコネクタ１０１では、イジェクト部材１１１がスプリング１１２に押され、挿入方向Ａの手前側に位置付けられている。また、ロック部材１１０の第３部分１１８は、拘束部１２３に引っ掛かっている。このため、ロック部材１１０は、挿入方向Ａには動かない。
【００２９】
カードコネクタ１０１に対してカード媒体２０１を装着する場合、カード媒体２０１は開口１０５から挿入方向Ａの奥側に向けて挿入される。このとき、カード媒体２０１のパッド部２０２を露出させる面は下方に向けられる。また、切欠き部２０３は、挿入方向Ａの手前側に向けられる。これにより、ロック部材１１０もイジェクト部材１１１も収納空間１０６の奥側に押し込まれ、パッド部２０２がコンタクト部１０７に接触する。以下、このようなカード媒体２０１の向きを「正規の向き」と呼ぶことがある。
【００３０】
イジェクト部材１１１は、カード媒体２０１の第１側面２０５に押され、収納空間１０６の奥側に向けて移動する。イジェクト部材１１１は、イジェクト機構１０９の機能によって、収納空間１０６の奥側の所定の位置で停止する。
【００３１】
図１０は、カード媒体２０１を収納空間１０６に挿入し終えた状態のカードコネクタ１０１の平面図である。ロック部材１１０の第１部分１１６は、カード媒体２０１の第１側面２０５に押されて、収納空間１０６の奥側に向けて移動する。このとき、第１部分１１６と第２部分１１７との連結箇所１１６ａは、コネクタ本体１０３の内壁面に接触する。これにより、ロック部材１１０は、収納空間１０６内を旋回して図１０に示す旋回方向Ｒに動く。そして、第２部分１１７と第３部分１１８とは、カード媒体２０１に近づく。第３部分１１８がカード媒体２０１に近づいて開口１０５の内側方向に移動すると、第３部分１１８は拘束部１２３から離反する。これにより、ロック部材１１０は、挿入方向Ａに動けるようになる。
【００３２】
ここで、ロック部材１１０が旋回するとき、支点部１２１は、旋回するロック部材１１０に干渉して、ロック部材１１０を確実に旋回させる。さらに、第１案内部１２２は、ロック部材１１０に設けられる突部１１９を案内し、第２部分１１７及び第３部分１１８を確実にカード媒体２０１に近づける。
【００３３】
なお、カード媒体２０１を、正規の向き以外の向きに向けた状態で、開口１０５から挿入方向Ａの奥側に向けて挿入しようとすると、カード媒体２０１の切欠き部２０３はロック部材１１０の第３部分１１８から離れた箇所に位置付けられる。このため、ロック部材１１０が旋回方向Ｒに旋回しようとしても、第３部分１１８はカード媒体２０１の側面に干渉されて拘束部１２３から離反できない。ここで、第３部分１１８が拘束部１２３に拘束されていると、ロック部材１１０は挿入方向Ａに動くことができない。つまり、カード媒体２０１を正規の向き以外の向きに向けた状態で開口１０５から挿入しようとしても、ロック部材１１０は動かず、カード媒体２０１はカードコネクタ１０１に収納されない。このように、本実施の形態のカードコネクタ１０１では、ＳＩＭカードのように一の角が切り欠かれている形状のカード媒体２０１の逆挿し防止が実現される。
【００３４】
図１１は、カード媒体２０１を収納空間１０６に挿入し終えた状態の拘束部１２３の平面図である。ロック部材１１０が旋回するとき、ロック部材１１０に設けられる爪部１１９ａはガイド溝１２５に案内される。これにより、ロック部材１１０は所定の移動軌跡に沿って動き、第３部分１１８は拘束部１２３から確実に離反し、第２部分１１７及び第３部分１１８は確実にカード媒体２０１に近づく。
【００３５】
カードコネクタ１０１からのカード媒体２０１の排出は、カード媒体２０１を挿入方向Ａの奥側に押した後にこの押し込みを解除することによりなされる。このとき、カード媒体２０１の第１側面２０５は、イジェクト部材１１１を挿入方向Ａの奥側に押し込む。そして、押し込みが解除されたときに、スプリング１１２は、イジェクト部材１１１を挿入方向Ａの手前側に押す。これにより、カード媒体２０１は、開口１０５から排出される。なお、イジェクト部材１１１は、イジェクト機構１０９の機能によって、図９に示すように、カード媒体２０１を収納空間１０６から排出させる位置まで移動できる。
【００３６】
ここで、ロック部材１１０の第３部分１１８は、カード媒体２０１の切欠き部２０３に押されて挿入方向Ａの手前側に移動する。これにより、ロック部材１１０の全体が、挿入方向Ａの手前側に移動する。そして、開口１０５からはみ出したカード媒体２０１を持って挿入方向Ａの手前側に抜き出されると、第３部分１１８は切欠き部２０３に押されて拘束部１２３に横並びし、さらには第３部分１１８が開口１０５から離れる方向に動いて拘束部１２３に嵌り込み、段部１１８ａが突起１２４に引っ掛かる。このとき、爪部１１９ａはガイド溝１２５に沿って動き、ロック部材１１０は挿入時と同じ軌跡を描いて移動する。このため、爪部１１９ａは確実にガイド溝１２５に拘束される。
【００３７】
このように、本実施の形態のカードコネクタ１０１によれば、開口１０５から挿入されるカード媒体２０１の第１側面２０５が第１部分１１６を押すことにより第１部分１１６と第２部分１１７との連結箇所１１６ａがハウジング１０２の内壁面に接触し、ロック部材１１０が収納空間１０６内を旋回し、第３部分１１８が開口１０５の内側方向に動いて拘束部１２３から離反し、この第３部分１１８が切欠き部２０３に接触する。したがって、簡易な構造で、カードコネクタ１０１におけるカード媒体２０１のスムーズな挿入及び抜き出しを実現できる。
【００３８】
さらに、本実施の形態のカードコネクタ１０１は、ＳＩＭカードに対応したものである。この場合、パッド部２０２は、その規格によって、カード媒体２０１の縁部ではなく中央部分に設けられている。このため、切欠き部２０３を挿入方向Ａの手前側に向けてカード媒体２０１（ＳＩＭカード）の全体を収納空間１０６に収納しなくても、カード媒体２０１の一部を挿入するだけでパッド部２０２を収納空間１０６内に位置付けることができる。つまり、収納空間１０６の挿入方向Ａの奥行長をカード媒体２０１の挿入方向Ａの長さよりも短くして、カードコネクタ１０１を小型化することができる。
【符号の説明】
【００３９】
１０１  カードコネクタ
１０２  ハウジング
１０５  開口
１０６  収納空間
１１０  ロック部材
１１６  第１部分
１１７  第２部分
１１８  第３部分
１１９  突部
１２１  支点部
１２２  第１案内部
１２３  拘束部
１２６  第２案内部
２０１  カード媒体
２０３  切欠き部（第３側面）
２０４  第２側面
２０５  第１側面
Ａ      挿入方向
【図１】
2011249049.tif 000003
【図２】
2011249049.tif 000004
【図３】
2011249049.tif 000005
【図４】
2011249049.tif 000006
【図５】
2011249049.tif 000007
【図６】
2011249049.tif 000008
【図７】
2011249049.tif 000009
【図８】
2011249049.tif 000010
【図９】
2011249049.tif 000011
【図１０】
2011249049.tif 000012
【図１１】
2011249049.tif 000013
【図１２】
2011249049.tif 000014